(57)【要約】【課題】不正行為の予防を図ることのできる遊技機を提供する。【解決手段】光ファイバケーブル１００を介して両基板間の通信を行う通信装置において、光ファイバケーブル１００の端部に設けられたプラグコネクタ１５０と副制御基板４０に設けられたレセプタクルコネクタ１６０とを結合することで光ファイバケーブル１００と受光素子１６５とが光学的に接続されるようになり、レセプタクルコネクタ１６０は、レセプタクルハウジング１６１に内装されて、受光部１６５Ａを除き受光素子１６５を包囲して外部からの電磁波ノイズを遮蔽するシェル部材１６６を備えて構成される。【選択図】図６
2015008907.tif 000002
【特許請求の範囲】
【請求項１】
遊技の進行に係る装置の動作を主に制御する主制御基板と、遊技の進行に直接関与しな
い装置の動作を主に制御する副制御基板と、前記主制御基板と前記副制御基板とを相互に
接続する光通信ケーブルを介して両基板間の通信を行う通信装置と、を備える遊技機であ
って、
前記光通信ケーブルの一端に設けられたケーブル一端側コネクタと前記主制御基板に設
けられた主基板側コネクタとを結合することで前記光通信ケーブルと前記主基板側コネク
タの発光素子とが光学的に接続されて、前記主基板側コネクタの前記発光素子から前記光
通信ケーブルに向けて光信号が出力され得るようになり、
前記光通信ケーブルの他端に設けられたケーブル他端側コネクタと前記副制御基板に設
けられた副基板側コネクタとを結合することで前記光通信ケーブルと前記副基板側コネク
タの受光素子とが光学的に接続されて、前記光通信ケーブルからの前記光信号が前記副基
板側コネクタの前記受光素子に入力され得るようになり、
前記ケーブル他端側コネクタは、前記光通信ケーブルの他端部を保持するケーブル他端
側ハウジングを有し、
前記副基板側コネクタは、前記ケーブル他端側ハウジングと結合可能に形成された副基
板側ハウジングと、前記副基板側ハウジングに内装されて、前記光信号の前記入力部を除
き前記受光素子を包囲して外部からの電磁波ノイズを遮蔽するシールド部材と、を備えて
構成されることを特徴とする遊技機。
【発明の詳細な説明】
【技術分野】
【０００１】
本発明は、主制御基板と副制御基板とを相互に接続する光通信ケーブルを介して両基板
間の通信を行う遊技機に関する。
【背景技術】
【０００２】
従来から、スロットマシン等の遊技機は、遊技者が遊技を進行させていくと、その遊技
状況に応じて様々な演出を実行するように構成されている。このような遊技機には、一般
的に、遊技の進行に係る遊技装置と、この遊技装置の動作を主に制御する主制御基板と、
遊技の演出に係る演出装置と、この演出装置の動作を主に制御する副制御基板とが設けら
れている。
【０００３】
ここで、副制御基板は、主制御基板からの指令を受け、受けた指令に基づいて演出装置
を制御することで、遊技状況に応じた演出装置の制御が行えるようになっている。このた
め、遊技機には、主制御基板から副制御基板へデジタル信号を伝送しており、この指令信
号を伝送するにあたり、遊技機でも、通信装置として、デジタル信号を直列に伝送するシ
リアル伝送方式が利用されている。
【０００４】
さらに、シリアル伝送方式の通信装置として、電気／光変換器を備えているとともに、
通信ケーブルとして、光の信号を伝送する光通信ケーブル（例えば光ファイバなど）を利
用し、さらには、光通信ケーブルの接続が容易に行えるように、光通信ケーブルと制御基
板との接続をコネクタを介して行う光学式の通信装置が知られている（例えば、特許文献
１を参照）。
【先行技術文献】
【特許文献】
【０００５】
【特許文献１】特開２００９−１５３７９８号公報
【発明の概要】
【発明が解決しようとする課題】
【０００６】
上記のような光通信装置は、光通信ケーブルと、光通信ケーブルの一端に設けられて該
光通信ケーブルと主制御基板とを接続するメイン側コネクタと、光通信ケーブルの他端に
設けられて該光通信ケーブルと副制御基板とを接続するサブ側コネクタとを有してなり、
メイン側コネクタには主制御基板からの指令信号に基づき光信号を発光する発光素子が設
けられ、サブ側コネクタには光通信ケーブルから伝播された光信号を光電変換して副制御
基板に送出する受光素子が設けられて構成される。ここで、光通信ケーブル自体は電磁誘
導による影響を殆ど受けないのであるが、受光素子は光通信ケーブルから受け取った光信
号を電気信号に光電変換する電子部品であるため、原則的に電磁波に対して脆弱であり、
不正な電磁波を受光素子に照射して受光素子を誤動作させる、いわゆる、電波ゴトと称さ
れる不正行為の対象になりやすいという問題がある。
【０００７】
本発明は、このような課題に鑑みてなされたものであり、不正行為の予防を図ることの
できる遊技機を提供することを目的とする。
【課題を解決するための手段】
【０００８】
このような目的達成のために、本発明に係る遊技機は、遊技の進行に係る装置の動作を
主に制御する主制御基板と、遊技の進行に直接関与しない装置の動作を主に制御する副制
御基板と、主制御基板と副制御基板とを相互に接続する光通信ケーブル（例えば、実施形
態における光ファイバケーブル１００）を介して両基板間の通信を行う通信装置と、を備
える遊技機であって、光通信ケーブルの一端に設けられたケーブル一端側コネクタ（例え
ば、実施形態におけるプラグコネクタ１２０）と主制御基板に設けられた主基板側コネク
タ（例えば、実施形態におけるレセプタクルコネクタ１３０）とを結合することで光通信
ケーブルと主基板側コネクタの発光素子とが光学的に接続されて、主基板側コネクタの発
光素子から光通信ケーブルに向けて光信号が出力され得るようになり、光通信ケーブルの
他端に設けられたケーブル他端側コネクタ（例えば、実施形態におけるプラグコネクタ１
５０）と副制御基板に設けられた副基板側コネクタ（例えば、実施形態におけるレセプタ
クルコネクタ１６０）とを結合することで光通信ケーブルと副基板側コネクタの受光素子
とが光学的に接続されて、光通信ケーブルからの光信号が副基板側コネクタの受光素子に
入力され得るようになり、ケーブル他端側コネクタは、光通信ケーブルの他端部を保持す
るケーブル他端側ハウジング（例えば、実施形態におけるプラグハウジング１５１）を有
し、副基板側コネクタは、ケーブル他端側ハウジングと結合可能に形成された副基板側ハ
ウジング（例えば、実施形態におけるレセプタクルハウジング１６１）と、副基板側ハウ
ジングに内装されて、光信号の入力部を除き受光素子を包囲して外部からの電磁波ノイズ
を遮蔽するシールド部材（例えば、実施形態におけるシェル部材１６６）と、を備えて構
成される。
【発明の効果】
【０００９】
本発明によれば、制御基板に対する不正行為を予防することが可能である。
【図面の簡単な説明】
【００１０】
【図１】本発明の一実施形態に係るスロットマシンの正面図である。
【図２】前記実施形態に係る筐体内部の正面図である。
【図３】前記実施形態の全体構成を概略的に示すブロック図である。
【図４】前記実施形態に係る光通信装置を示す側面図である。
【図５】前記実施形態に係るサブ側コネクタを示し、（ａ）は正面図、（ｂ）は側面図である。
【図６】前記実施形態に係るサブ側コネクタの側断面図（図５における矢印VI‐VIに沿って示す断面図）である。
【図７】前記実施形態に係るレセプタクルコネクタの斜視図である。
【図８】前記実施形態に係るレセプタクルコネクタの正面図である。
【図９】前記実施形態に係るシェル部材を示し（ａ）は斜視図、（ｂ）は斜視断面図である。
【図１０】前記実施形態に係るグランド接続構造を示す模式図である。
【図１１】前記実施形態に係るグランド接続構造を示す電気配線図である。
【図１２】前記実施形態に係る副基板ケースユニットの斜視図である。
【図１３】前記実施形態に係る副基板ケースのトップケースを裏面側から見た斜視図である。
【図１４】前記実施形態に係るコネクタケース嵌合構造を示し、（ａ）はコネクタの軸方向に沿って切断した断面図、（ｂ）は側面図、（ｃ）は矢印XIV(c)−XIV(c)に沿って示す断面図である。
【図１５】前記実施形態に係る光通信装置の機能ブロック図である。
【図１６】前記実施形態に係るスロットマシンの前扉を開放した状態を示す斜視図である。
【図１７】前記実施形態に係るスロットマシンの前扉を開放した状態を示す平断面図である。
【図１８】前記実施形態に係る信号伝送方法を従来技術と比較した模式図である。
【発明を実施するための形態】
【００１１】
以下、図面を参照して本発明の実施形態について説明する。なお、以下の実施形態は、
本発明をスロットマシンに適用したものである。
【００１２】
［スロットマシンの基本構成］
まず、本実施形態に係るスロットマシンの基本的な構成について、図１〜図３を参照し
ながら説明する。本実施形態に係るスロットマシン１は、図１に示すように、３個の回転
リール１１の各々に配置された複数種類の図柄が所定の組み合わせとなるように、回転し
ている各回転リール１１を停止させる遊技を行うものである。また、スロットマシン１は
、遊技媒体として金属製のメダルを採用したものであり、メダルの投入によって遊技を開
始するように構成されている。このようなスロットマシン１には、図１の如く、当該スロ
ットマシン１の各種装置を収納する正面視矩形状の筐体２が備えられている。筐体２は、
前面開放形の箱状部材であり、この前面開口は当該筐体２に横開き開閉可能に取り付けら
れた前扉３によって閉鎖されるようになっている。なお、前扉３は、閉じられると、自動
的に施錠されるようになっている。
【００１３】
前扉３は、その前面をほぼ二分する上部パネル部４および下部パネル部５を備えたもの
となっている。下部パネル部５の下方には、入賞時に払い出されるメダルを貯留する受皿
部６Ａが一体的に形成された受皿ユニット６が設けられている。また、上部パネル部４と
下部パネル部５は、意匠的に優れた外観を確保するために、合成樹脂製の化粧板が表面に
貼り付けられたものとなっている。
【００１４】
上部パネル部４には、操作卓７の上方且つ幅方向の中央部分において、筐体２内に横並
びに配設された３個の回転リール１１の表面が臨む表示窓４Ａが設けられている。ここで
、筐体２内部に設けられた３個の回転リール１１の各々は、その表面に複数種類の図柄が
配置されている。なお、各回転リール１１の内部には、当該回転リール１１を内側から照
射するバックランプ５６（図３を参照）が設けられている。
【００１５】
上部パネル部４の上端縁部分には、正面形状が横長の逆台形状をなす演出ランプ４Ｂが
設けられている。また、上部パネル部４の上側における左右両脇には、正面形状が湾曲し
た帯状に形成された一対の演出ランプ４Ｃがハの字形に配設されている。さらに、上部パ
ネル部４の両側縁には、その間に表示窓４Ａを挟むようにして配置された一対の演出ラン
プ４Ｄが設けられている。これら演出ランプ４Ｂ〜４Ｄの各々は、透光性を有するレンズ
の内部に配置された高輝度フルカラーＬＥＤ等の光源を備え、遊技の進行に応じて、その
光源の点灯又は点滅もしくは発光色の変更により、遊技における視覚的な演出効果を高め
るものである。
【００１６】
表示窓４Ａおよび演出ランプ４Ｂの間には、遊技の演出用画像を表示する画像表示装置
４Ｅが設けられている。この画像表示装置４Ｅは、動画を含む様々な画像を、遊技の進行
状況に応じて表示するものである。画像表示装置４Ｅの左右下側には、遊技に係る効果音
を発生するスピーカ４Ｆがそれぞれ設けられている。
【００１７】
操作卓７は、遊技における操作に必要な各種のスイッチ類が配置されたものである。こ
の操作卓７には、前扉３の施錠を解除するための鍵が挿入される鍵穴７Ａ、メダルを投入
するためのメダル投入口７Ｂが開口されたメダル投入部７Ｃ、各回転リール１１の回転を
個別に停止させるための３個のストップスイッチ７Ｄ、最大ベット許容数（例えば３枚）
の遊技メダルを一度にベットするためのＭＡＸ−ＢＥＴスイッチ７Ｅ、クレジットされた
範囲内で１枚の遊技メダルをベットするための１−ＢＥＴスイッチ７Ｇ、３個の回転リー
ル１１を一斉に回転開始させる際に操作されるスタートレバー７Ｆ、メダル投入口２１か
ら投入されて滞留したメダルを返却するための貯留メダル精算スイッチ７Ｈ、等が設けら
れている。
【００１８】
下部パネル部５には、スロットマシン１のモデルタイプを象徴するキャラクタ等が描か
れたパネル５Ａが設けられている。受皿ユニット６には、メダルを貯留する前述の受皿部
６Ａに加えて、入賞時に受皿部６Ａへ向かって払い出されるメダルを排出させるメダル払
出口６Ｂと、遊技に係る効果音を発生するスピーカ６Ｃとが設けられている。
【００１９】
［遊技を行うための基本操作］
スロットマシン１で遊技を行うには、まず実際にメダル投入口７Ｂにメダルを投入する
か、１−ＢＥＴスイッチ７ＧまたはＭＡＸ−ＢＥＴスイッチ７Ｅの何れかを操作してクレ
ジットの範囲内で規定数のメダルをベットすることにより、入賞ライン（例えば、表示窓
４Ａ内の左中段、中央中段および右中段の各図柄表示領域を横一直線に結ぶ１本の入賞ラ
イン）を有効化する。
【００２０】
次に、遊技者がスタートレバー７Ｆを操作すると、役抽選が行われ、その後、各リール
１１が回転を開始し、リール１１の外周表面に表示された複数種類の図柄が表示窓４Ａ内
を上下に（通常、上から下に）移動表示される。そして、リール１１の回転が所定の速度
に達するとストップスイッチ７Ｄが有効化され、遊技者が各ストップスイッチ７Ｄを操作
すると、対応するリール１１の回転がそれぞれ停止する。
【００２１】
ここで、有効ライン上に停止表示された図柄組合せが予め定められた入賞態様（メダル
を獲得することができる遊技役の対応図柄）となっている場合には、各入賞態様に対応し
た枚数のメダルが払い出されるか、またはクレジットとして加算される。
【００２２】
［筐体内蔵の遊技用装置］
筐体２の内部には、図２に示すように、３個の回転リール１１が回転自在に支持される
とともに、これらの回転リール１１のそれぞれを駆動するステッピングモータ５０（図３
を参照）を備えたリールユニット１０、内部に多数のメダルを貯留させる容器部２１を備
えるとともに受皿部６Ａに向かってメダルを排出するホッパー２０、遊技用装置であるリ
ールユニット１０やホッパー２０の動作を制御する主制御基板３０、これらの装置に電力
を供給する電源装置９等が設けられている。主制御基板３０は、主基板ケース３１０内に
収容されており、この主基板ケース３１０と共に主基板ケースユニット３００を構成して
いる。
【００２３】
一方、前扉３の裏側には、画像表示装置４Ｅ等の演出用装置の制御を行う副制御基板７
０、メダル投入口７Ｂに投入されたメダルを選別する投入メダルセンサ８等が設けられて
いる。副制御基板４０は、副基板ケース４１０内に収容されており、この副基板ケース４
１０と共に副基板ケースユニット４００を構成している。
【００２４】
［制御基板と各機器との接続］
本実施形態のスロットマシン１では、図３に示すように、遊技に関する主たる制御が主
制御基板３０上に配設された制御回路により行われ、画像表示装置４Ｅによる演出画像表
示制御、スピーカ４Ｆからの音声発生制御及びバックランプ５６等のランプによる照明制
御等は、副制御基板４０上に配設された制御回路により行われるように構成されている。
また、両制御基板３０，４０間の情報伝送（指令信号の伝送）は、詳細後述する光ファイ
バケーブル１００による光通信にて、主制御基板３０から副制御基板４０への一方向のみ
行うことが可能となっている。
【００２５】
主制御基板３０には、遊技に関する各種の演算処理を行うメインＣＰＵ３０Ａと、制御
プログラム等を記憶したＲＯＭ３０Ｂと、一時記憶領域であるＲＡＭ３０Ｃとが配設され
ており、ＲＯＭ３０Ｂに記憶された制御プログラムに従って各駆動回路等が動作すること
により、スロットマシン１における遊技進行に係る主要な制御が行われるようになってい
る。
【００２６】
上記メインＣＰＵ３０Ａには、駆動パルスを発生するためのクロックパルス発生器３０
Ｄ、クロックパルス発生器３０Ｄで発生した駆動パルスを分周するための分周器３０Ｅ、
遊技役の抽選に用いる乱数を発生するための乱数発生器３０Ｆ、及び乱数発生器３０Ｆで
発生した乱数をサンプリングして抽選を行うためのサンプリング回路３０Ｇが接続されて
いる。また、メインＣＰＵ３０Ａは、インターフェイス回路３０Ｈを介して、モータ駆動
回路５１、ホッパー駆動回路２２及び副制御基板４０に対して信号を送信するとともに、
リール位置検出回路５２及び払出完了信号回路２４からの信号を受信するように構成され
ている。
【００２７】
ここで、モータ駆動回路５１は、各リール１１を回転駆動するステッピングモータ５０
の回転・停止制御を行うための回路であり、リール位置検出回路５２は、各リール１１に
設置されたセンサ（図示せず）からの各検出信号に基づき、各リール１１の回転位置をそ
れぞれ検出する回路である。また、ホッパー駆動回路２２は、小役等の入賞態様が成立し
た際に、ホッパー２０を駆動してメダルの払出しを行わせる回路であり、払出完了信号回
路２４は、ホッパー２０から所定数のメダルが払い出されたことがメダル検出部２３によ
り検出された際に、主制御基板３０に払出完了信号を送信する回路である。
【００２８】
また、スロットマシン１では、電源装置９からの電力が主制御基板３０を介して各部に
供給されるようになっている。また、メインＣＰＵ３０Ａには、スイッチ基板５７に接続
されているか、またはスイッチ基板５７上に搭載されている、リール停止信号回路５８、
スタートレバー７Ｆ、投入メダルセンサ８、１−ＢＥＴスイッチ７Ｇ、ＭＡＸ−ＢＥＴス
イッチ７Ｅ及び貯留メダル精算スイッチ７Ｈからの各信号が、インターフェイス回路３０
Ｈを介して入力されるようになっている。
【００２９】
また、図示は省略しているが、メインＣＰＵ３０Ａは、所定の遊技状態(例えば、ＡＲ
Ｔ遊技状態（ＡＴ（アシストタイム）が設定されたＲＴ（リプレイタイム）遊技状態）)
であることを判断して、データカウンタやホールコンピュータ等に所定の信号（外端信号
）を出力し、この外端信号により、ＡＲＴ遊技状態に設定された回数等を管理したり遊技
者に提示したりできるように構成されている。
【００３０】
一方、副制御基板４０には、演出に関する各種の演算処理を行うサブＣＰＵ４０Ａと、
制御プログラム等を記憶したＲＯＭ４０Ｂと、一時記憶領域であるＲＡＭ４０Ｃとが配設
されており、ＲＯＭ４０Ｂに記憶された制御プログラムに従って各駆動回路等が動作する
ことにより、スロットマシンにおける演出に関する制御が行われるようになっている。
【００３１】
上記サブＣＰＵ４０Ａは、インターフェイス回路４０Ｄを介して、主制御基板３０から
の各種制御信号を受信するとともに、表示装置制御回路５３、スピーカ制御回路５４及び
ランプ制御回路５５に対し信号を送信するように構成されている。ここで、表示装置制御
回路５３は、画像表示装置４Ｅを制御して所定の演出画像を表示させる回路であり、スピ
ーカ制御回路５４は、スピーカ４Ｆから発生させる音声等の種類や音量を制御する回路で
あり、ランプ制御回路５５は、演出ランプ４Ｂ〜４Ｄやバックランプ５６等のランプの点
灯を制御する回路である。
【００３２】
［光通信装置］
以上において、本実施形態のスロットマシン１には、伝送媒体に光ファイバケーブル１
００を利用した有線通信である光通信で、主制御基板３０と副制御基板４０との間の通信
を行う、光通信装置が設けられている。ここで、主制御基板３０と副制御基板４０との間
の通信は、主制御基板４０から副制御基板４０へ指令信号を伝送する一方向のデジタル光
通信を行うものであり、主制御基板３０から副制御基板４０へ一つの伝送路を介して、誤
り検出ビット付きの光ビット信号をシリアルに伝送するものである。以下、図４〜図９を
追加参照しながら、本実施形態に係る光通信装置の具体的構成を説明する。
【００３３】
光通信装置は、図４に示すように、主制御基板３０に設けられて副制御基板４０へ向け
て指令信号（コマンドデータ）を発信する不図示の指令信号発信回路３７（図１５を参照
）と、副制御基板４０に設けられて主制御基板３０からの指令信号（コマンドデータ）を
受信する不図示の指令信号受信回路４７（図１５を参照）と、主制御基板３０および副制
御基板４０を相互に接続する光ファイバケーブル１００とを備え、光ファイバケーブル１
００を介して主制御基板３０と副制御基板４０との間の通信を行うものである。
【００３４】
光ファイバケーブル１００は、光信号を伝送するための通信ケーブル（伝送媒体）であ
る。光ファイバケーブル１００の一端、具体的には、この光ファイバケーブル１００にお
ける主制御基板３０側に位置する端部と主制御基板３０との間には、これらを相互に接続
するためのメイン側コネクタ１１０が設けられている。このメイン側コネクタ１１０は、
光ファイバケーブル１００の一端に取り付けられるプラグコネクタ１２０と、主制御基板
３０の表面側に取り付けられるレセプタクルコネクタ１３０とからなり、両コネクタ１２
０，１３０を嵌合させたときに光ファイバケーブル１００と主制御基板３０とが接続され
るように構成されている。
【００３５】
プラグコネクタ１２０は、レセプタクルコネクタ１３０の内部に嵌合される円筒状に形
成された部材である。プラグコネクタ１２０には、光ファイバケーブル１００の一端が不
図示の固定金具によって固定されている。
【００３６】
レセプタクルコネクタ１３０は、プラグコネクタ１２０を内部に嵌合可能な円筒状に形
成された部材である。レセプタクルコネクタ１３０は、その底部中央に、光通信用の発光
素子１３５が設置されたものとなっている。発光素子１３５は、主制御基板３０の指令信
号発信回路３７からの指令信号（電気信号）に基づき光信号を発光する例えば発光ダイオ
ード等の電子部品である。そして、レセプタクルコネクタ１３０は、半田付け等によって
主制御基板３０上に実装されている。
【００３７】
このようなメイン側コネクタ１１０において、プラグコネクタ１２０とレセプタクルコ
ネクタ１３０とを嵌合させると、光ファイバケーブル１００と発光素子１３５とがメイン
側コネクタ１１０を介して光学的に接続されることとなる。
【００３８】
一方、光ファイバケーブル１００の他端、具体的には、光ファイバケーブル１００にお
ける副制御基板４０側に位置する端部と副制御基板４０との間には、これらを相互に接続
するためのサブ側コネクタ１４０が設けられている。それでは、以下において、サブ側コ
ネクタ１４０の具体的な構成について詳述する。
【００３９】
サブ側コネクタ１４０は、光ファイバケーブル１００の他端に取り付けられるプラグコ
ネクタ１５０と、副制御基板４０の表面に取り付けられるレセプタクルコネクタ１６０と
からなり、両コネクタ１５０，１６０を嵌合させたときに光ファイバケーブル１００と副
制御基板４０とが接続されるように構成されている。
【００４０】
プラグコネクタ１５０は、図４に示すように、光ファイバケーブル１００の一端に取り
付けられる透明樹脂製のプラグハウジング１５１を基体として構成される。このプラグハ
ウジング１５１は、該コネクタ１５０の着脱時に作業者に把持される部分となる略直方体
状の把持部１５１Ａと、この把持部１５１Ａに一体的に繋がって延びる略円筒状の嵌合凸
部１５１Ｂとを有してなる。プラグハウジング１５１には、光ファイバケーブル１００を
挿入保持するためのケーブル挿入孔１５１Ｃ（図６を参照）が当該コネクタ１５０の中心
軸に沿って貫通形成されている。なお、プラグコネクタ１５０については、図４に示す配
設姿勢における、左側を基端側、右側を先端側と称して説明する。
【００４１】
プラグハウジング１５１の嵌合凸部１５１Ｂは、段付きの円筒形状に形成されており、
その外周面には当該コネクタ１５０の軸方向における中間部分を一周するよう円環状に形
成された被係止溝１５１Ｄが凹設されている。また、嵌合凸部１５１Ｂの先端には、山型
に突出して前述のケーブル挿入孔１５１Ｃの開口端となる位置決め凸部１５１Ｅが設けら
れている。
【００４２】
光ファイバケーブル１００は、図６に示すように、コアおよびクラッドを有して中心部
のコアにおいて光信号を伝送させる光ファイバー芯線１０１と、この光ファイバー芯線１
０１の外周面を被覆する合成樹脂製の被覆材１０２とを備えた通信ケーブルである。光フ
ァイバケーブル１００は、プラグハウジング１５１のケーブル挿入孔１５１Ｃに把持部１
５１Ａの基端側から挿入され、当該ケーブル１００の先端部をプラグハウジング１５１の
位置決め凸部１５１Ｅから外方に幾分突出させた状態で、プラグハウジング１５１の外周
側から挿入される不図示の固定金具によって接合固定されるようになっている。
【００４３】
レセプタクルコネクタ１６０は、図４〜図８等に示すように、前述のプラグコネクタ１
５０と対向する側に開口するレセプタクルハウジング１６１と、レセプタクルハウジング
１６１内に設けられて副制御基板４０に接合されるフォトダイオード等の受光素子１６５
と、受光素子１６５を内包してレセプタクルハウジング１６１内に取り付けられるシェル
部材１６６と、を有して構成される。なお、レセプタクルコネクタ１６０については、図
４に示す配設姿勢における、左側を先端側、右側を基端側と称して説明する。
【００４４】
レセプタクルハウジング１６１は、図７に示すように、該ハウジング１６１の基体とな
るハウジング本体１６２と、ハウジング本体１６２の先端側の外周部を包囲するスペーサ
部材１６３と、シェル部材１６６を覆うようにハウジング本体１６１の基端側に取り付け
られるフットカバー部材１６４と、を有して構成される。
【００４５】
ハウジング本体１６２は、透明な樹脂材料を用いて円筒状に形成されており、その内部
には軸方向に沿って前記先端側に開口する嵌合凹部（相手方のプラグコネクタ１５０の嵌
合凸部１５１Ｂを受容する空間）１６２Ａが設けられている。ハウジング本体１６２の内
周面には、内方（嵌合凹部１６２Ａ側）に突出してプラグコネクタ１５０の被係止溝１５
１Ｄに係合可能に形成された略鉤爪形状の一対の係止突起１６２Ｂが設けられている。ま
た、ハウジング本体１６２には、受光素子１６５を内包した状態のシェル部材１６６が配
設されるシェル配設空間（図示せず）が画成されるとともに、このシェル配設空間と嵌合
凹部１６２Ａとを連通させて光ファイバケーブル１００の内部を伝播してきた光信号を通
すための円孔状の受光孔１６２Ｃが設けられている。この受光孔１６２Ｃの周囲には、プ
ラグコネクタ１５０の位置決め凸部１５１Ｅの外面形状に対応した内面形状を有するすり
鉢状の位置決め凹部１６２Ｄが設けられており、この位置決め凹部１６２Ｄはプラグハウ
ジング１５１の位置決め凸部１５１Ｅが嵌入可能な大きさに形成され、プラグコネクタ１
５０とレセプタクルコネクタ１６０との光軸方向および光軸直交方向の位置決めを行い得
るようになっている。
【００４６】
スペーサ部材１６３は、透明な樹脂材料を用いて軸方向に延びる略蒲鉾状に形成されて
おり、内部にハウジング本体１６２を嵌入させるための円筒状の嵌合孔１６３Ａが軸方向
に沿って貫通形成されている。このスペーサ部材１６３は、該レセプタクルコネクタ１６
０を副制御基板４０上に実装するための取付ベースとなる。スペーサ部材１６３の先端側
には、ハウジング本体１６２の先端部を当接させて当該ハウジング本体１６２を軸方向に
位置決めするための段部１６３Ｂが形成されている。また、スペーサ部材１６３の基端側
には、軸方向に所定の厚みを有するとともに当該スペーサ部材１６３の外周縁に沿って円
弧状に湾曲するリブ１６３Ｃが設けられている。また、スペーサ部材１６３の底面には、
当該レセプタクルコネクタ１６０を副制御基板４０上に位置決めするための一対の脚部１
６３Ｄが下方に向けて突設されている。
【００４７】
受光素子１６５は、光ファイバケーブル１００からの光信号を電気信号に変換する例え
ばフォトダイオード等の電子部品（光電変換素子）である。受光素子１６５には、副制御
基板４０上の信号ラインに接続される信号端子１６５Ｓ、副制御基板４０上のグランドラ
イン４２（図１０を参照）に接続されるグランド端子１６５Ｇ、該受光素子１６５に電力
を供給するための電源端子１６５Ｅ等の４本の端子（以下では、説明の便宜上、これらを
「リード端子１６５Ｌ」と総称することがある）が設けられている。
【００４８】
シェル部材１６６は、図９に示すように、例えば黄銅等の金属製の板金を略箱状に折曲
形成してなり、その表面全体には錫めっき処理が施されている。シェル部材１６６は、受
光素子１６５を収容可能な大きさの内部空間を有しており、その表面側には受光素子１６
５の受光部１６５Ａと整合する位置に内部空間と連通する円孔状の光通過口１６６Ａが貫
通形成されるとともに、下方には受光素子１６５の４本のリード端子１６５Ｌを外方へ突
出させるための端子挿通口１６６Ｂが内部空間と連続して形成されている。つまり、シェ
ル部材１６６は、受光素子１６５の受光部１６５Ａおよび４本のリード端子１６５Ｌを除
く部位全体を包囲しており、外部からの電磁波ノイズに対する遮蔽効果を十分に発揮し得
るように構成されている。また、シェル部材１６６の左右の側面には、副制御基板４０上
のグランドライン４３，４４，４５，４６（図１０を参照）に接続される２本のグランド
端子１６６Ｇ１，１６６Ｇ２が下方に向けて突出形成されている。
【００４９】
シェル部材１６６は、受光素子１６５を内部空間に収容保持した状態で、ハウジング本
体１６２のシェル配設空間に嵌挿されて、レセプタクルハウジング１６１に垂直姿勢で取
り付けられる。シェル部材１６６がレセプタクルハウジング１６１に取り付けられた状態
では、受光素子１６５の受光部１６５Ａと、シェル部材１６６の光通過口１６６Ａと、レ
セプタクルハウジング１６１の受光孔１６２Ｃと、が光軸に沿って相互に位置整合するこ
ととなる。またこのとき、受光素子１６５の４本のリード端子１６５Ｌ、およびシェル部
材１６６の２本のグランド端子１６６Ｇ１，２は、略横一列に整列した状態で、レセプタ
クルハウジング１６１の底面から下方に延出することとなる。
【００５０】
フットカバー部材１６４は、ＰＣ（ポリカーボネート）等の透明な樹脂材料を用いて形
成されており、ハウジング本体１６２の基端側からシェル部材１６６を覆うようにして着
脱自在に取り付けられる。フットカバー部材１６４には、受光素子１６５のリード端子１
６５Ｌおよびシェル部材１６６のグランド端子１６６Ｇ１，２を挿通させるための開口（
図示せず）が略一列に並んで形成されている。フットカバー部材１６４の底面には、レセ
プタクルコネクタ１６０を副制御基板４０上に固定するための一対の固定金具１６４Ａが
設けられている。
【００５１】
このように構成されるサブ側コネクタ１４０を介して、光ファイバケーブル１００と副
制御基板４０とを接続するためには、まず、プラグコネクタ１５０の嵌合凸部１５１Ｂを
レセプタクルコネクタ１６０の嵌合凹部１６２Ａに嵌合させる。このとき、プラグコネク
タ１５０の嵌合凸部１５１Ｂをレセプタクルコネクタ１６０の嵌合凹部１６２Ａに挿入す
ると、プラグハウジング１５１の被係止溝１５１Ｄにレセプタクルハウジング１６１の係
止突起１６２Ｂが係合し、これによりプラグコネクタ１５０をレセプタクルコネクタ１６
０から抜脱する方向への移動が規制されて、プラグコネクタ１５０とレセプタクルコネク
タ１６０とが嵌合状態に保持される。
【００５２】
こうしてプラグハウジング１５１とレセプタクルハウジング１６１とが嵌合すると、プ
ラグハウジング１５１の位置決め凸部１５１Ｅがレセプタクルハウジング１６１の位置決
め凹部１６２Ｄに嵌入して、位置決め凸部１５１Ｅから突出する光ファイバケーブル１０
０の先端部が位置決め凹部１６２Ｄ内の受光孔１６２Ｃに挿入されることとなる。すると
、光ファイバケーブル１００の先端部とレセプタクルコネクタ１６０の受光素子１６５（
受光部１６５Ａ）とが、シェル部材１６６の光通過口１６６Ａを介して、互いに近接した
状態で対向配置される。これにより、プラグコネクタ１５０に取り付けられた光ファイバ
ケーブル１００と、レセプタクルコネクタ１６０の受光素子１６５とが光学的に接続され
、光ファイバケーブル１００から伝送された光信号が受光素子１６５において電気信号に
光電変換されて副制御基板１４０の指令信号受信回路４７に送出される。このように主制
御基板３０と副制御基板４０とが光通信装置を介して一方向にシリアル通信可能となり、
主制御基板３０から副制御基板４０へ向けて各種指令信号（コマンドデータ）等が伝送さ
れることとなる。
【００５３】
以上、本実施形態における光通信装置のサブ側コネクタ１４０では、レセプタクルハウ
ジング１６１に内装される受光素子１６５を、金属製のシェル部材１６６により包囲（被
覆）するとともに、このシェル部材１６６のグランド端子１６６Ｇ１，２を副制御基板４
０上にグランド接続して、受光素子１６５を電磁的にシールドするため、外部から受光素
子１６５に対して不正な電磁波を発信する不正行為（いわゆる電波ゴト）を予防すること
が可能である。
【００５４】
≪グランド接続構造≫
続いて、図１０および図１１を追加参照して、サブ側コネクタ１４０におけるシェル部
材１６６のグランド接続構造について説明する。前記のとおり、シェル部材１６６には、
副制御基板４０にグランド接続される２本のグランド端子１６６Ｇ１，１６６Ｇ２が設け
られているが、当該グランド端子１６６Ｇ１，１６６Ｇ２のグランド接続位置（グランド
の取りかた）に応じて電磁波ノイズの遮蔽効果を最適に発揮させるものとする。
【００５５】
ここで、副制御基板４０は、詳細図示を省略するが、絶縁体基材両面に導電性の回路パ
ターンが形成された信号層４１（図１０を参照）を有するとともに、厚さ方向中途に中間
層として電源層およびグランド層を有する多層基板から構成されており、当該副制御基板
４０の信号層４１に、前述のサブＣＰＵ４０Ａ、ＲＯＭ４０Ｂ、ＲＡＭ４０Ｃやサブ側コ
ネクタ１４０などの電子・電気部品が表面実装されている。また、図１０に示すように、
副制御基板４０の信号層１４１には、上記回路パターンとして、サブ側コネクタ１４０の
受光素子１６５の信号端子１６５Ｓが接続される信号線パターン（図示せず）や、受光素
子１６５のグランド端子１６５Ｇおよびシェル部材１６６のグランド端子１６６Ｇ１，１
６６Ｇ２がそれぞれ接続されるグランドパターン４２，４３，４４，４５，４６などが形
成されている。各グランドパターン４２〜４６は、対応するスルーホール４２ｃ〜４６ｃ
によって、内層としてのグランド層に電気的に接続（導通）されている。
【００５６】
受光素子１６５のグランド端子１６５Ｇは、グランドライン４２を介して当該受光素子
１６５から相対的に近い位置（スルーホール４２Ｃの位置）で副制御基板４０のグランド
層に接続されている。シェル部材１６６の第１グランド端子１６６Ｇ１は、グランドライ
ン４３を介して受光素子１６５から相対的に近い位置（スルーホール４３Ｃの位置）で副
制御基板４０のグランド層に接続可能である一方、グランドライン４４を介して受光素子
１６５から相対的に遠い位置（スルーホール４４Ｃの位置）でグランド層に接続可能であ
る。シェル部材１６６の第２グランド端子１６６Ｇ２は、グランドライン４５を介して受
光素子１６５から相対的に近い位置（スルーホール４５Ｃの位置）でグランド層に接続可
能である一方、グランドライン４６を介して受光素子１６５から相対的に遠い位置（スル
ーホール４６Ｃの位置）でグランド層に接続可能である。
【００５７】
ここで、各グランドライン４３，４４，４５，４６の途中には、ジャンパー素子として
０Ω抵抗Ｒ１，Ｒ２，Ｒ３，Ｒ４がそれぞれ実装され得るように形成されている。グラン
ドライン４３は、グランドライン４３Ａ，４３Ｂが０Ω抵抗Ｒ１で接続されてなり、グラ
ンドライン４４は、グランドライン４４Ａ，４４Ｂが０Ω抵抗Ｒ２で接続されてなる。ま
た、グランドライン４５は、グランドライン４５Ａ，４５Ｂが０Ω抵抗Ｒ３で接続されて
なり、グランドライン４６は、グランドライン４６Ａ，４６Ｂが０Ω抵抗Ｒ４で接続され
てなる。
【００５８】
そのため、シェル部材１６６の第１グランド端子１６６Ｇ１に接続される２本のグラン
ドライン４３，４４のうち、グランドライン４３に０Ω抵抗Ｒ１を接続すれば、グランド
ライン４３Ａ，４３Ｂ間が当該０Ω抵抗Ｒ１を介して接続される一方（すなわち、相対的
に近い位置でグランド接続される一方）、グランドライン４４に０Ω抵抗Ｒ２を接続すれ
ば、グランドライン４４Ａ，４４Ｂ間が当該０Ω抵抗Ｒ２を介して接続される（すなわち
、相対的に遠い位置でグランド接続される）。
【００５９】
また、シェル部材１６６の第２グランド端子１６６Ｇ２に接続される２本のグランドラ
イン４５，４６のうち、グランドライン４５に０Ω抵抗Ｒ３を接続すれば、グランドライ
ン４５Ａ，４５Ｂ間が当該０Ω抵抗Ｒ３を介して接続される一方（すなわち、相対的に近
い位置でグランド接続される一方）、グランドライン４６に０Ω抵抗Ｒ４を接続すれば、
グランドライン４６Ａ，４６Ｂ間が当該０Ω抵抗Ｒ４を介して接続される（すなわち、相
対的に遠い位置でグランド接続される）。
【００６０】
従って、本実施形態に係るグランド接続構造によれば、副制御基板４０上の複数のグラ
ンドライン４３，４４，４５，４６にジャンパー素子としての０Ω抵抗Ｒ１，Ｒ２，Ｒ３
，Ｒ４を選択的に配置することで、副制御基板４０の回路構成等に応じて、シェル部材１
６６のグランド接続位置（グランド層との接続位置）を受光素子１６５から相対的に近い
位置と遠い位置とのいずれかに選択的に設定することができるため、シェル部材１６６に
よる電磁波ノイズの遮蔽効果をより一層向上させて、いわゆる電波ゴト等の不正行為を厳
重に予防することが可能となる。
【００６１】
また、例えば、複数の遊技機の機種や盤面、基板ケース等において、共通の副制御基板
４０を採用した場合でも、一種類の副制御基板４０を性能の異なる遊技機や盤面、基板ケ
ース、間で共通に使用しながら、その機種等に応じてシェル部材１６６のグランド接続位
置を異ならしめることができるとともに、副制御基板４０の製造コストを低減することが
可能となる。
【００６２】
なお、シェル部材１６６の各グランド端子１６６Ｇ１，２には、それぞれ２本のグラン
ドラインを接続させているが、３本以上の複数のグランドラインを接続させてもよい。ま
た、各グランド端子１６６Ｇ１，２に接続される複数本のグランドパターンは、受光素子
１６５からの距離を異ならしめてグランド層にそれぞれ接続するものに限られず、受光素
子１６５からそれぞれ等距離の位置でグランド層にそれぞれ接続するものであってもよく
、グランド層との接続位置は副制御基板４０の回路構成等に応じて適宜に設定可能である
。また、グランドラインを０Ω抵抗以外のジャンパー素子（低い抵抗値をもつジャンパー
素子）で接続するように構成してもよい。また、シェル部材１６６のグランド端子１６６
Ｇ１，２を副制御基板４０のグランドパターンに直接的に接続させることなく、これを受
光素子１６５のグランド端子１６５Ｇに接続させてもよい。
【００６３】
≪コネクタケース嵌合構造≫
次に、上記コネクタケース嵌合構造を説明するうえで、先ず始めに、副基板ケースユニ
ット４００の概要構成について図１２〜図１４を追加参照しながら説明する。
【００６４】
副基板ケースユニット４００は、前述の副制御基板４０と、副制御基板４０を内部に収
容する略矩形容器状の副基板ケース４１０と、を主体として構成されている。この副基板
ケースユニット４００は、画像表示装置４Ｅを備えて構成される液晶ユニット１２の背面
側に取り付けられ、該副基板ケースユニット４００および液晶ユニット１２が一体化され
たアッセンブリ状態で前扉３の裏面側に固定具１２Ａを用いて固定される（これにより画
像表示装置４Ｅの画面が前扉３の正面側から視認可能となる）。なお、以降において、副
基板ケースユニット４００の構成部材の説明における上下左右および前後（正面側、背面
側）の方向は、特に指定しない場合には、副基板ケースユニット４００が前扉３に取り付
けられた状態で前扉３を裏面視した場合の方向を示すものとする。すなわち、図１２にお
いては右下側が正面である。
【００６５】
副基板ケース４１０は、液晶ユニット１２に固定されるボトムケース４２０と、ボトム
ケース４２０の正面側に着脱自在に取り付けられるトップケース４３０とからなる。ボト
ムケース４２０及びトップケース４３０は、互いの開口同士を相対向させた閉止状態で組
み合わされて一体化される。ボトムケース４２０及びトップケース４３０は、共に無色透
明な樹脂材料（例えば、ポリカーボネート等）を用いて射出成形等の成形手段により形成
され、外部からでも副基板ケース４１０内を視認可能に構成されている。
【００６６】
ボトムケース４２０は、詳細図示を省略するが、横長方形状の裏面板４２１およびこの
裏面板４２１の周縁から立設される上下左右の側面板４２２を有して全体として正面側に
開口する矩形箱状を呈している。ボトムケース４２０の裏面板４２１には、トップケース
４３０を固定するための複数個のネジ孔（図示せず）が設けられている。
【００６７】
トップケース４３０は、横長方形状の正面板４３１およびこの正面板４３１の周縁から
立設される上下左右の側面板４３２を有して全体として背面側が開口する矩形箱状を呈し
ている。トップケース４３０の正面板４３１には、ボトムケース４２０のネジ孔（図示せ
ず）と整合する位置に複数の凹部４３２Ａが形成されており、各凹部４３２Ａの凹底部に
はネジ挿通孔４３２Ｂが表裏に貫通されている。
【００６８】
ボトムケース４２０とトップケース４３０とは、副制御基板４０を収容した状態で、ト
ップケース４３０のネジ挿通孔４３２Ｂとボトムケース４２０のネジ孔とを位置合わせし
て不図示のネジを螺合することにより、閉止状態で副制御基板４０と一体的に結合される
。すなわち、副制御基板４０にも、ネジが挿通可能な挿通孔が設けられている。そして、
ネジ止めした後、さらにトップケース４３０の凹部４３２Ａに封止カバー４３３を嵌入さ
せることにより、副基板ケース４１０が開封不能に封止される。封止カバー４３３は、凹
部４３２Ａの内周に設けられた係合溝（図示せず）に係合して抜け止めとして作用する爪
部（図示せず）を有しており、いったん爪部が係合溝に係合すると、封止カバー４３３は
トップケース４３０に取り外し不能に固定される。そのため、トップケース４３０とボト
ムケース４２０とを固定しているネジに外部からアクセス不能となって、トップケース４
３０とボトムケース４２０とが封止されるのである。
【００６９】
続いて、コネクタケース嵌合構造について詳述する。トップケース４３０の右上隅角部
、すなわち、トップケース４３０におけるサブ側コネクタ１４０と整合する位置には、側
面視において矩形に開口する第１係合孔４３４が設けられている。第１係合孔４３４は、
トップケース４３０の右側の側面板４３２に表裏貫通されており、サブ側コネクタ１４０
のプラグコネクタ１５０が係合可能（挿着可能）に形成されている。第１係合孔４３４は
、プラグコネクタ１５０の把持部１５１Ａに対応した形状となっており、プラグコネクタ
１５０のうち把持部１５１Ａのみを通すことのできる狭幅の形状となっている（つまり、
プラグコネクタ１５０の嵌合凸部１５１Ｂを通すことはできず、プラグコネクタ１５０が
副基板ケース４０に対して抜け止め状態となる）。
【００７０】
トップケース４３０の内側には、サブ側コネクタ１４０のレセプタクルコネクタ１６０
と整合する位置に、上側の側面板４３２と右側の側面板４３２とを繋いでＬ字状に屈曲す
る連結板４３５が設けられている。連結板４３５には、第１係合孔４３４と左右方向（サ
ブ側コネクタ４０の軸方向）に対向するとともに、側面視において略半円状を呈する第２
係合孔４３６が表裏に貫通されており、サブ側コネクタ１４０のレセプタクルコネクタ１
６０が係合可能（挿着可能）に形成されている。第２係合孔４３６はレセプタクルハウジ
ング１６１に対応した形状となっており、第２係合孔４３６の内周面とレセプタクルハウ
ジング１６１の外周面とは隙間なく係合し得ることになるが、たとえ極わずかな隙間が生
じたとしても、この隙間はトップケース４３０の連結板４３５と近接対向（又は当接）す
るレセプタクルコネクタ１６０のリブ１６３Ｃによって塞がれるようになっている。
【００７１】
このようなコネクタケース嵌合構造において、副基板ケースユニット４００を組み立て
るには、予め副制御基板４０上においてサブ側コネクタ１４０のプラグコネクタ１５０と
レセプタクルコネクタ１６０とを互いに嵌合させた状態で、この副制御基板４０をボトム
ケース４２０およびトップケース４３０間に取り付ける。そして、両ケース４２０，４３
０を前述のネジおよび封止カバー４３３によって開封不能な状態にロックし、副制御基板
４０を副基板ケース４１０の内部に収容させると、サブ側コネクタ１４０がプラグコネク
タ１５０の把持部１５１Ａを除き副基板ケース４１０によって覆われて内部に隠蔽される
一方、プラグコネクタ１５０の把持部１５１Ａのみが第１係合孔４３４を介して副基板ケ
ース４１０の外方へ突出することとなる。
【００７２】
この状態では、プラグコネクタ１５０の把持部１５１Ａがトップケース４３０の第１係
合孔４３４に隙間なく係合するとともに、プラグコネクタ１５０の嵌合凸部１５１Ｂとト
ップケース４３０の側面板４３２とが近接対向する。従って、プラグコネクタ１５０はト
ップケース４３０の側面板４３２との係合下に抜け止め状態で保持されるため、プラグコ
ネクタ１５０が抜脱方向へ引っ張られたとしても、プラグコネクタ１５０の嵌合凸部１５
１Ｂが側面板４３２に当接して、プラグコネクタ１５０の抜脱方向への移動が阻止される
ことで、副基板ケース４１０を開放しない限りはレセプタクルコネクタ１６０からプラグ
コネクタ１５０を取り外すことが実質的に不能となり、いわゆるハーネスゴトと呼ばれる
不正行為を効果的に防止することが可能となる。
【００７３】
一方、レセプタクルコネクタ１６０のレセプタクルハウジング１６１がトップケース４
３０の第２係合孔４３６に隙間なく係合するとともに、レセプタクルコネクタ１６０のリ
ブ１６３Ｃとトップケース４３０の連結板４３５とが近接対向する。従って、前述のよう
にプラグコネクタ１５０とトップケース４３０の第１係合孔４３４とが係合することで副
基板ケース４１０のコネクタ開口がプラグコネクタ１５０によって完全に密閉されるとと
もに、トップケース４３０の内面とサブ側コネクタ１４０の外周面との間の隙間が非直線
的に入り組んで、副基板ケース４１０内への侵入経路が幾重にも折り返すラビリンス構造
の経路となるため、副基板ケース４１０の内部へ針金等の異物を侵入させる不正アクセス
を効果的に撃退防止することが可能となる。以上、本実施形態に係るコネクタケース嵌合
構造によれば、副制御基板４０に対する不正行為の予防に寄与することが可能となる。
【００７４】
≪光通信異常検出機構≫
次に、本実施形態に係る光通信異常検出機構について図１５〜図１７を追加参照して説
明する。前述したように、本実施形態に係るスロットマシン１において、主制御基板３０
と副制御基板４０との両基板間の情報伝達（指令信号の伝送）は、主制御基板３０から副
制御基板４０へ一方向のみ行うことが可能となっており、副制御基板４０は、主制御基板
３０から送信されてきた指令信号を受信したことを契機として、該指令信号の内容に応じ
た所定の制御を行うように構成されている。そのため、主制御基板３０から送信された指
令信号が、副制御基板４０に正確に伝送されないと、副制御基板４０において適切な制御
を行うことが困難となるだけでなく、遊技の進行状況とは適合しない不適切な制御が行わ
れてしまうおそれもある。
【００７５】
ここで、両基板間の伝送に光通信装置を採用した場合には、上記のような遊技機におけ
る通信の仕組みを悪用して、伝送媒体たる光ファイバケーブル１００を許容曲げ半径を超
えて過度に屈曲することで、光ファイバケーブル１００内での光信号（指令信号）の伝送
を妨げて、主制御基板３０から送信された指令信号が副制御基板４０へ正しく伝送されな
いようにする不正行為が想定される。このような不正行為が行われると、適正に遊技を行
うことができなくなるなどの弊害が生じる。
【００７６】
例えば、スロットマシンでは、一般的に、遊技者が有利に遊技を行えるような情報を報
知する、ＡＴ（アシストタイム）と称される演出期間を副制御基板において設定し、この
演出期間内において、所定の報知演出（「アシスト演出」と称する）を行うように構成さ
れている。このようなＡＴの設定やＡＴ中に実行可能なアシスト演出の回数決定等は、所
定の遊技結果が得られたことを契機として行われることが多い。したがって、遊技結果を
示す情報が、上述の不正行為により、副制御基板４０に正しく伝送されないと、アシスト
演出の実行可能回数が過剰に設定されるという問題がある。
【００７７】
そこで、このような事情に鑑みて、本実施形態では、主制御基板３０と副制御基板４０
との間の伝送媒体である光ファイバケーブル１００が不正に屈曲されて両基板間の通信が
妨げられた場合、この不正行為を早期に発見することができる構成を提供する。
【００７８】
光通信異常検出機構は、図１５に示すように、主制御基板３０から副制御基板４０へ指
令信号を伝送する前記の光ファイバケーブル（「第１光ファイバケーブル」とも称する）
１００と、主制御基板３０から副制御基板４０へ後述の検査信号を伝送する光ファイバケ
ーブル（「第２光ファイバケーブル」とも称する）２００と、これら２本の光ファイバケ
ーブル１００，２００を内部に収容する保護チューブ１５と、主制御基板３０に設けられ
て検査信号を発信する検査信号発信回路３８と、副制御基板４０に設けられて検査信号を
受信する検査信号受信回路４８と、両基板間の光通信における通信異常を報知する通信エ
ラー報知回路４９と、を備えて構成される。
【００７９】
第１光ファイバケーブル１００と第２光ファイバケーブルは、相互に許容曲げ半径が異
なるように設定されている。より具体的には、第１光ファイバケーブル１００よりも第２
光ファイバケーブル２００の方が許容曲げ半径が大きく設定されている。そのため、２本
の光ファイバケーブル１００，２００を同時に屈曲させた場合、第１光ファイバケーブル
１００よりも先に、第２光ファイバケーブル１００が許容曲げ半径に達するようになって
いる。「許容曲げ半径」とは、光ファイバケーブル１００，２００の伝送損失が、当該ケ
ーブルの使用に耐え得ると想定される最小の曲げ半径をいう。
【００８０】
第２光ファイバケーブル２００の一端、具体的には、主制御基板３０側にはメイン側コ
ネクタ２１０が設けられ、第２光ファイバケーブル２００の他端、具体的には、副制御基
板４０側にはサブ側コネクタ２４０が設けられている。このように第２光ファイバケーブ
ル２００の各端部に設けられるメイン側コネクタ２１０およびサブ側コネクタ２４０は、
上述した第１光ファイバケーブル１００の各コネクタ１１０，１４０と同様の構成である
ため、その説明は省略する。
【００８１】
保護チューブ１５は、図１６および図１７に示すように、例えば合成樹脂材料を用いて
軸方向に延びる長尺の円管状に形成されて可撓性を有しており、光ファイバケーブル１０
０，２００を内部に挿通させることで、これら光ファイバケーブル１００，２００の周囲
を覆ってこれを保護する。この保護チューブ１５は、前扉３の開閉に応じて伸縮した状態
および屈曲された状態を保持できるよう少なくとも一部が蛇腹状に形成されており、筐体
２に設置された２カ所の固定具１６により固定されている。
【００８２】
検査信号発信回路３８は、両制御基板間の通信状態を検査するための所定の検査信号（
例えば周期的なパルス信号であるウォッチドッグ信号）を生成して、これを例えば数msec
毎に定期的にメイン側コネクタ２１０へ発信し、このメイン側コネクタ２１０の発光素子
２３５から検査用光信号を発光させる。この検査用光信号は、光ファイバケーブル２００
の内部を伝播して、サブ側コネクタ２４０の受光素子２６５に入力される。
【００８３】
検査信号受信回路４８は、受光素子２６５において光電変換された検査信号（電気信号
）を受信して、光ファイバケーブル２００による両制御基板間の通信状態を検査する。す
なわち、検査信号受信回路４８は、検査信号発信回路３８からの検査信号を定期的に受信
したとき、光通信装置が正常に動作している状態（両制御基板間で正常に通信が行われて
いる状態）であると判定する。他方、検査信号受信回路４８は、検査信号発信回路３８か
らの検査信号が途絶えると、光通信装置が正常に動作していない状態（両制御基板間が通
信エラーとなっている状態）であると判定して、通信エラー報知回路４９に、通信エラー
が検出されたことを伝達するように構成されている。通信エラー報知回路４９は、通信エ
ラーが検出された場合に、画像表示装置４Ｅを用いて通信エラーが発生したことを文字情
報等により報知するとともに、スピーカ４Ｆ等を用いて警告音等を出力するようになって
いる。（ホールコンピュータ等の外部機器に、通信エラーの発生を伝達するようにしても
よい）。
【００８４】
従って、このような光通信異常検出機構を採用することにより、保護チューブ１５（光
ファイバケーブル１００，２００）が意図的に過度に屈曲されて、主制御基板３０から送
信された指令信号が副制御基板４０に正しく伝送されなくなったとしても、それよりも先
に検査信号が途絶えることとなるため、光通信の仕組みを悪用した不正行為を早期に発見
して光通信における安全性を高めることができるとともに、不正行為が行われる可能性を
低減することが可能となる。
【００８５】
なお、この光通信異常検出機構の変形例として、検査信号伝送用の光ファイバケーブル
２００を設けることなく、互いに許容曲げ半径の異なる複数本の指令信号伝送用の光ファ
イバケーブル１００を設けて、各光ファイバケーブル１００において通信エラーとなる順
番が、許容曲げ半径の大小の順番である場合に、不正行為が介在したと判定してもよい。
【００８６】
≪コマンド伝送方法≫
次に、従来の光通信装置のコマンド伝送方法について、図１８（ａ）を追加参照して説
明する。ここで、図１８（ａ）中の中段は通常時のコマンドデータを示し、下段は光ファ
イバケーブル１００が許容曲げ半径を超えて屈曲されたときのコマンドデータを示す。ま
ず始めに、主制御基板３０の指令信号発信回路３７は、副制御基板４０への指令信号を所
定ビット数のコマンドデータとしてシリアルに出力する。本実施形態では、該コマンドデ
ータに対して、閾値電圧との大小関係によりＨ（High）およびＬ（Low）の信号レベルを
設定し、「０」をアクティブ信号、「１」を非アクティブ信号として割り当てる。
【００８７】
指令信号発信回路３７から出力される指令信号は、二つのＮＯＴ回路（インバータ）１
７１，１７２を介して、メイン側コネクタ１１０の発光素子１３５に入力される。発光素
子１３５は、指令信号発信回路３７から入力される指令信号が「０」のときは不図示の電
源回路から電力が供給されて点灯し、「１」のときは電力が遮断されて消灯する。このよ
うに発光素子１３５では、指令信号発信回路３７からの指令信号（コマンドデータ）に応
じて光信号を発光（点灯／消灯）させる。この光信号は、光ファイバケーブル１００の内
部を伝播して、サブ側コネクタ１４０の受光素子１６５に入力される。
【００８８】
サブ側コネクタ１４０では、受光素子１６５で受光した光信号の強度が所定の閾値以上
である場合（図示する点灯状態のとき）、「０」で表されるデジタル信号を指令信号とし
て、二つの反転回路（インバータ）１７３，１７４を介して、副制御基板４０の指令信号
受信回路４７に送出する。
【００８９】
一方、受光素子１６５で受光した光信号の強度が所定の閾値未満である場合（図示する
消灯状態のとき）、「１」で表されるデジタル信号を指令信号として、二つの反転回路を
介して副制御基板４０の指令信号受信回路４７に送出する。このように、主制御基板３０
から伝送されてくる指令信号（コマンドデータ）に基づいて、副制御基板４０では演出に
係る各種制御を行い得るように構成されている。
【００９０】
ここで、このような光通信の仕組みを悪用して、伝送媒体たる光ファイバケーブル１０
０を許容曲げ半径を超えて過度に屈曲することで、光ファイバケーブル１００内での光信
号（指令信号）の伝送を妨げて、主制御基板３０から送信された指令信号が副制御基板４
０へ正しく伝送されないようにする不正行為が想定される。このような不正行為が行われ
ると、適正に遊技を行うことができなくなるなどの弊害（例えば、上述のように、アシス
ト演出の実行可能回数が過剰に設定されるという弊害）が生じる。また、従来のコマンド
伝送方法では、主制御基板３０から指令信号が発信されていない状態であるのか、不正行
為者によって光ファイバケーブル１００が意図的に折り曲げられて通信が阻害されている
状態であるのかを判別することが困難であるという問題がある。
【００９１】
そこで、このような事情に鑑みて、本実施形態では、主制御基板３０と副制御基板４０
との間の伝送媒体である光ファイバケーブル１００が不正に屈曲されて両基板間の通信が
妨げられた場合、この不正行為を早期に発見することができる構成を提供する。
【００９２】
本実施形態に係るコマンド伝送方法では、以下に詳述するように、通信を行っていない
状態（非アクティブ状態）でメイン側コネクタ１１０の発光素子１３５が光信号を発光（
点灯）するように、指令信号発信回路３７からの指令信号（論理信号）を論理反転するよ
うに構成されている。それでは、本実施形態のコマンド伝送方法について図１８（ｂ）を
参照して詳述する。ここで、図１８（ｂ）中の中段は通常時のコマンドデータを示し、下
段は光ファイバケーブル１００が許容曲げ半径を超えて屈曲されたときのコマンドデータ
を示す。
【００９３】
図１８（ｂ）に示すように、主制御基板３０の指令信号発信回路３７は、副制御基板４
０への指令信号を所定ビット数のコマンドデータとしてシリアルに出力する。本実施形態
では、前述したように、該コマンドデータに対して、閾値電圧との大小関係によりＨ（Hi
gh）およびＬ（Low）の信号レベルを設定し、「０」をアクティブ信号、「１」を非アク
テュブ信号として割り当てる。ここで、指令信号発信回路３７から出力される指令信号は
正論理の信号である。
【００９４】
この正論理の信号は、ＮＯＴ回路（インバータ）１７５によって論理反転されて負論理
の信号に変換される。そのため、メイン側コネクタ１１０の発光素子１３５では、指令信
号発信回路３７の指令信号（論理反転される前の指令信号）が「１」で発光し、「０」で
消灯することとなる。発光素子１３５にて射出される光信号は、光ファイバケーブル１０
０の内部を伝播して、サブ側コネクタ１４０の受光素子１６５に入力される。
【００９５】
サブ側コネクタ１４０では、受光素子１６５で受光した光信号の強度が所定の閾値以上
である場合（図示する点灯状態のとき）、「０」で表されるデジタル信号を指令信号とし
てＮＯＴ回路（インバータ）１７６に送出する。一方、受光素子１６５で受光した光の強
度が所定の閾値未満である場合（図示する消灯状態のとき）、「１」で表されるデジタル
信号を指令信号としてＮＯＴ回路１７６に送出する。
【００９６】
この出力信号は、ＮＯＴ回路１７６において論理反転されて、正論理の信号に変換され
る（すなわち、元の論理信号に戻される）。そのため、従来のコマンド伝送方法と同様に
、主制御基板３０から伝送される指令信号（コマンドデータ）に基づいて、副制御基板４
０では演出に係る各種制御を行い得るようになっている。
【００９７】
ここで、光ファイバケーブル１００が許容曲げ半径を超えて過度に屈曲されると、光フ
ァイバケーブル１００内において光信号が伝送不能となり、受光素子１６５には非アクテ
ィブ信号「１」として入力されることになるが、本実施形態では、この非アクティブ信号
「１」はＮＯＴ回路１７６で論理反転されて、サブ制御基板４０の指令信号受信回路４７
にはアクティブ信号「０」として入力されることになる。そして、指令信号受信回路４７
では、このように光ファイバケーブル１００が不正に操作されて、アクティブ信号「０」
の入力が一定時間以上において継続した場合（コマンドデータが「００Ｈ」の場合）には
、通信エラーが発生したものと判断し、通信エラー報知手段４９において所定のエラー報
知を行う。一方、主制御基板３０の指令信号発信回路３７から指令信号（コマンドデータ
）が発信されていない状態では、副制御基板４０の指令信号受信回路４７には非アクティ
ブ信号「１」の入力が継続するため、光ファイバケーブル１００を屈曲させて通信不能と
する不正行為との明確な判別が可能となる。
【００９８】
以上、このようなコマンド伝送方法を採用することにより、主制御基板３０から指令信
号が発信されていない状態であるのか、不正行為者によって光ファイバケーブル１００が
意図的に折り曲げられて通信が阻害されている状態であるのかを正確に判別することがで
きるため、光通信の仕組みを悪用した不正行為を早期に発見して光通信における安全性を
高めることができるとともに、不正行為が行われる可能性を低減することが可能となる。
【００９９】
なお、本発明は、上記実施形態に限定されるものではなく、本発明の要旨を逸脱しない
範囲であれば適宜改良可能である。
【０１００】
上述の実施形態では、本発明に係る遊技機のコネクタを光ファイバケーブル１００と副
制御基板４０との接続に適用した場合を例示して説明したが、これに限定されるものでは
なく、光ファイバケーブル１００と主制御基板３０との接続に利用してもよく、さらに、
光ファイバケーブル１００と副制御基板４０、および、光ファイバケーブル１００と主制
御基板３０の両方の接続に利用してもよい。
【０１０１】
なお、上述の実施形態においては、本発明をスロットマシンに適用した場合を例示して
説明したが、これに限定されるものではなく、スロットマシン以外の遊技機、例えば、ぱ
ちんこ遊技機、アレンジボール機、雀球遊技機、封入式遊技機（所定個数の遊技球を機内
に封入して循環使用する遊技機）等の他の遊技機、更にはメダル遊技機、ゲーム機などの
アミューズメント機器、に適用することができ、同様の効果を得ることができる。
【符号の説明】
【０１０２】
１  スロットマシン（遊技機）
３０  主制御基板
４０  副制御基板
１００  光ファイバケーブル（光通信ケーブル）
１１０  メイン側コネクタ
１２０  プラグコネクタ（ケーブル一端側コネクタ）
１３０  レセプタクルコネクタ（主基板側コネクタ）
１３５  発光素子
１４０  サブ側コネクタ
１５０  プラグコネクタ（ケーブル他端側コネクタ）
１５１  プラグハウジング（ケーブル他端側ハウジング）
１６０  レセプタクルコネクタ（副基板側コネクタ）
１６１  レセプタクルハウジング（副基板側ハウジング）
１６２  ハウジング本体
１６３Ｃ  リブ
１６５  受光素子
１６６  シェル部材（シールド部材）
１６６Ａ  光通過口
１６６Ｇ  グランド端子
４００  副基板ケースユニット
４１０  副基板ケース
４２０  ボトムケース
４３０  トップケース
４３２  側面板
４３４  第１係合孔
４３５  連結板
４３６  第２係合孔
【図１】
2015008907.tif 000003
【図２】
2015008907.tif 000004
【図３】
2015008907.tif 000005
【図４】
2015008907.tif 000006
【図５】
2015008907.tif 000007
【図６】
2015008907.tif 000008
【図７】
2015008907.tif 000009
【図８】
2015008907.tif 000010
【図９】
2015008907.tif 000011
【図１０】
2015008907.tif 000012
【図１１】
2015008907.tif 000013
【図１２】
2015008907.tif 000014
【図１３】
2015008907.tif 000015
【図１４】
2015008907.tif 000016
【図１５】
2015008907.tif 000017
【図１６】
2015008907.tif 000018
【図１７】
2015008907.tif 000019
【図１８】
2015008907.tif 000020